(57)【要約】  【課題】５０Ｈｚ駆動方式においてフリッカーおよび擬似輪郭を防止することができるプラズマディスプレイパネルの駆動方法を提供する。  【解決手段】本発明のプラズマディスプレイパネルの駆動方法では、５０Ｈｚ駆動方式で駆動される時、６０Ｈｚフレームを構成するための輝度重み付け値を用いて入力された５０Ｈｚの複数のフレームを６０Ｈｚの複数のフレームに再配列する。【選択図】図３
2005084685.tif 000002
【特許請求の範囲】
【請求項１】
５０Ｈｚ駆動方式でプラズマディスプレイパネルを駆動させる方法において、
６０Ｈｚフレームを構成するための輝度重み付け値を用いて入力された５０Ｈｚの複数のフレームを６０Ｈｚの複数のフレームに再配列することを特徴とするプラズマディスプレイパネルの駆動方法。
【請求項２】
前記６０Ｈｚの複数のフレームのそれぞれは、同じ輝度重み付け値で配列されることを特徴とする請求項１に記載のプラズマディスプレイパネルの駆動方法。
【請求項３】
前記６０Ｈｚのフレームを構成するための輝度重み付け値は、マッピングテーブルに設定された５０Ｈｚの複数のフレームから得られることを特徴とする請求項１に記載のプラズマディスプレイパネルの駆動方法。
【請求項４】
前記入力された５０Ｈｚの複数のフレームは、前記マッピングテーブルに設定された５０Ｈｚの複数のフレームに対応することを特徴とする請求項３に記載のプラズマディスプレイパネルの駆動方法。
【請求項５】
前記５０Ｈｚの５つのフレームが入力される場合、前記マッピングテーブルに設定された５０Ｈｚのフレームを用いて前記再配列された６０Ｈｚの６つのフレームが得られることを特徴とする請求項３に記載のプラズマディスプレイパネルの駆動方法。
【請求項６】
前記６０Ｈｚの第１のフレームは、前記マッピングテーブルに設定された５０Ｈｚの第１のフレームから得られることを特徴とする請求項５に記載のプラズマディスプレイパネルの駆動方法。
【請求項７】
前記６０Ｈｚの第６のフレームは、前記マッピングテーブルに設定された５０Ｈｚの第５のフレームから得られることを特徴とする請求項５に記載のプラズマディスプレイパネルの駆動方法。
【請求項８】
前記６０Ｈｚの第２乃至第５のフレームは、前記マッピングテーブルに設定された５０Ｈｚの第２乃至第４のフレームからそれぞれ得られることを特徴とする請求項５に記載のプラズマディスプレイパネルの駆動方法。
【請求項９】
前記マッピングテーブルに設定された５０Ｈｚの第１のフレームおよび第５のフレームには、６０Ｈｚの１つのフレームを構成する輝度重み付け値および６０Ｈｚの他のフレームの一部を構成する輝度重み付け値が設けられることを特徴とする請求項５の記載のプラズマディスプレイパネルの駆動方法。
【請求項１０】
前記マッピングテーブルに設定された５０Ｈｚの第２乃至第４のフレームには、６０Ｈｚの１つのフレームの一部を構成する輝度重み付け値および６０Ｈｚの他のフレームの一部を構成する輝度重み付け値が設けられることを特徴とする請求項５の記載のプラズマディスプレイパネルの駆動方法。
【請求項１１】
５０Ｈｚの複数のフレームを順次入力されるステップと、
マッピングテーブルに予め設定された５０Ｈｚの複数のフレームを用いて前記５０Ｈｚの複数のフレームを６０Ｈｚの複数のフレームで構成するステップと、
前記６０Ｈｚの複数のフレームに応じて所定の階調を表現するステップと、
を含むことを特徴とするプラズマディスプレイパネルの駆動方法。
【請求項１２】
前記入力された５０Ｈｚの複数のフレームは、前記マッピングテーブルに設定された５０Ｈｚの複数のフレームに対応するものであることを特徴とする請求項１１に記載のプラズマディスプレイパネルの駆動方法。
【請求項１３】
前記マッピングテーブルに設定された５０Ｈｚの複数のフレームのそれぞれには、６０Ｈｚの１つのフレームを構成する輝度重み付け値および６０Ｈｚの他のフレームの一部を構成する輝度重み付け値が設けられることを特徴とする請求項１１に記載のプラズマディスプレイパネルの駆動方法。
【請求項１４】
前記マッピングテーブルに設定された５０Ｈｚの複数のフレームのそれぞれには、６０Ｈｚの１つのフレームの一部を構成する輝度重み付け値および６０Ｈｚの他のフレームの一部を構成する輝度重み付け値が設けられることを特徴とする請求項１１に記載のプラズマディスプレイパネルの駆動方法。
【発明の詳細な説明】
【技術分野】
【０００１】
本発明は、プラズマディスプレイパネルに関し、特に、５０Ｈｚ駆動方式において動画ノイズを除去することができるプラズマディスプレイパネルの駆動方法に関する。
【背景技術】
【０００２】
近年、フラットなディスプレイ装置として、大面積パネルを容易に実現可能なプラズマディスプレイパネル（Ｐｌａｓｍａ  Ｄｉｓｐｌａｙ  Ｐａｎｅｌ：以下「ＰＤＰ」と略する）が注目されている。ＰＤＰは、通常、デジタルビデオデータに応じて各画素の放電期間を調節することで画像を表示する。このとき、前記放電期間は、異なった輝度重み付け値を有するサステインパルスの個数で決定される。
【０００３】
このようなＰＤＰとしては、３電極を備え、交流電圧で駆動される交流型ＰＤＰが代表的に挙げられる。前記交流型ＰＤＰは、画像を表示するためＡＤＳ（Ａｄｄｒｅｓｓ−Ｄｉｓｐｌａｙ  Ｓｅｐａｒａｔｅｄ）駆動方式で駆動される。このようなＡＤＳ駆動方式は、サブフィールドの順序、輝度重み付け値およびサステインパルスの個数に応じて希望の階調を表現することができる。
【０００４】
しかし、このようなＡＤＳ駆動方式は、動きアーチファクト（ｍｏｔｉｏｎ  ａｒｔｉｆａｃｔｓ）、ラージエリアフリッカー（ｌａｒｇｅ  ａｒｅａ  ｆｌｉｃｋｅｒ）、階調数の変化による影響などのような問題を発生する。この動きアーチファクトの原因としては、階調表現のために一時的に使用される非線形的方式によるダイナミック擬似輪郭（ｄｙｎａｍｉｃ  ｆａｌｓｅ  ｃｏｎｔｏｕｒ）と、全フレーム時間より長い間、ピクセルから発光する光による動きボケ（ｍｏｔｉｏｎ  ｂｌｕｒｒｉｎｇ）が挙げられる。
【０００５】
図１は、従来のＰＤＰ駆動方式の一例を示す例示図である。図１には、５０Ｈｚで駆動されるフレームが示されている。通常、５０Ｈｚ駆動方式は、ヨーロッパで広く採用され、韓国や米国などでは６０Ｈｚ駆動方式が採用されている。
図１に示されたように、従来のＰＤＰ駆動方式は、５０Ｈｚで駆動される２０ｍｓフレームを１００Ｈｚで駆動される２つの１０ｍｓフレームに分割し、各フレームに含まれた各サブフィールドを再配列させる。例えば、２０ｍｓフレームには互いに異なる８つのサブフィールドが備えられる。このとき、第１、第３、第５および第７のサブフィールドを用いて１０ｍｓの第１のフレームが構成され、第２、第４、第６および第８のサブフィールドを用いて１０ｍｓの第２のフレームが構成される。このように５０Ｈｚで駆動される２０ｍｓフレームを１００Ｈｚで駆動される２つの１０ｍｓフレームに変調することで、５０Ｈｚ駆動方式で発生する広域の画面のちらつき現象であるラージエリアフリッカーを防止することができ、また、１００Ｈｚ駆動による隣接したメインフレームにより網膜に蓄積されるサブフィールド重み付け値（ｓｕｂ−ｆｉｅｌｄ  ｗｅｉｇｈｔ）を効果的に分散させてダイナミック擬似輪郭を相殺させることができる。
【０００６】
しかし、図１のような駆動方式は、ＸＧＡ級のシングルスキャン（ｓｉｎｇｌｅ  ｓｃａｎ）ＰＤＰパネルとＨＤ級のＰＤＰパネルは、サブフィールドの個数が制限されるため、ＸＧＡ級のシングルスキャンＰＤＰパネルとＨＤ級のＰＤＰパネルに１００Ｈｚ駆動方式を適用することが難しい。また、このようなサブフィールド数の不足は、低階調領域で深刻な量子化現象を発生させるという問題点がある。また、１フレームを２つのフレームに分割することによる二重擬似輪郭（ｄｏｕｂｌｅ  ｆａｌｓｅ  ｃｏｎｔｏｕｒ）が発生するという問題点がある。
【０００７】
図２は、従来のＰＤＰ駆動方式を示す他の例示図である。
図２に示されたように、従来のＰＤＰ駆動方式では、１つの５０Ｈｚフレームを２つの５０Ｈｚフレームに分割する。即ち、図１では、５０Ｈｚフレームを２つの１００Ｈｚフレームに変調させており、これに対し、図２では、５０Ｈｚフレームを２つの５０Ｈｚフレームに変調させている。従って、図２のＰＤＰ駆動方式は、フレームを２つのフレームに分割しても５０Ｈｚ駆動方式はそのまま維持される。即ち、５０Ｈｚフレームを２つのフレームに分割すると、２つの１００Ｈｚフレームに分割される。このとき、各フレームの半分の間、データが表示されるため、結局、２つの５０Ｈｚフレームに分割されることになる。
【０００８】
このように、５０Ｈｚであるフレームを２つの５０Ｈｚフレームに分割する時、第１のフレーム（１０ｍｓ）の最下位の輝度重み付け値と第２のフレーム（１０ｍｓ）の最下位の輝度重み付け値とが互いに異なるようになり、残りの輝度重み付け値は、第１および第２のフレームと同様に配列される。また、第１および第２のフレームは、対称的な輝度重み付け値をもって配列される。これにより、５０Ｈｚ駆動で発生するラージエリアフリッカーを最小化することが可能となる。
【０００９】
しかし、図２の従来のＰＤＰ駆動方式においても、フレームを２つのフレームに分割しているため、二重擬似輪郭が発生するという問題点がある。即ち、第１および第２のフレームの分割は、５０Ｈｚを５０Ｈｚに変える役割をするが、実際のデータは、２つのフレームにおいて同様に繰り返されて動画を具現するため、映像のオブジェクトが２つに見える、二重擬似輪郭が発生し、ビデオ解像度が低下してしまう。
【発明の開示】
【発明が解決しようとする課題】
【００１０】
従って、本発明は、前述の問題点を解決するためになされたものであって、本発明の目的は、５０Ｈｚ駆動方式においてフリッカーと擬似輪郭を防止することができるプラズマディスプレイパネルの駆動方法を提供することにある。
【課題を解決するための手段】
【００１１】
上記の目的を達成するための本発明の好適な一実施例によれば、プラズマディスプレイパネルの駆動方法は、５０Ｈｚ駆動方式でプラズマディスプレイパネルを駆動させる方法において、６０Ｈｚフレームを構成するための輝度重み付け値を用いて入力された５０Ｈｚの複数のフレームを６０Ｈｚの複数のフレームに再配列することを特徴とする。
前記６０Ｈｚの複数のフレームのそれぞれは、同じ輝度重み付け値で配列されることができる。前記６０Ｈｚのフレームを構成するための輝度重み付け値は、マッピングテーブルに設定された５０Ｈｚの複数のフレームから得られる。前記入力された５０Ｈｚの複数のフレームは、前記マッピングテーブルに設定された５０Ｈｚの複数のフレームに対応することが好ましい。
【００１２】
本発明の好適な他の実施例によれば、プラズマディスプレイパネルの駆動方法は、５０Ｈｚの複数のフレームを順次入力されるステップと、マッピングテーブルに予め設定された５０Ｈｚの複数のフレームを用いて前記５０Ｈｚの複数のフレームを６０Ｈｚの複数のフレームで構成するステップと、前記６０Ｈｚの複数のフレームに応じて所定の階調を表現するステップとを含むことを特徴とする。
【００１３】
前記マッピングテーブルに設定された５０Ｈｚの複数のフレームのそれぞれには、６０Ｈｚの１つのフレームを構成する輝度重み付け値および６０Ｈｚの他のフレームの一部を構成する輝度重み付け値が設けられる。前記マッピングテーブルに設定された５０Ｈｚの複数のフレームのそれぞれには、６０Ｈｚの１つのフレームの一部を構成する輝度重み付け値および６０Ｈｚの他のフレームの一部を構成する輝度重み付け値が設けられる。
【発明の効果】
【００１４】
【発明を実施するための最良の形態】
【００１５】
以下、添付の図面を参照して本発明の好適な実施例を詳述する。
【実施例】
【００１６】
本発明は、従来の５０Ｈｚ駆動方式において発生するフリッカーおよび擬似輪郭の問題を解決するために提案されたものである。それで、本発明では、５０Ｈｚの５つのフレームを６０Ｈｚの６つのフレームに再配列し、駆動方式は、そのまま５０Ｈｚ駆動方式を採りながら仮想の６０Ｈｚで駆動されるようにする。
このため、ＰＤＰを駆動するための駆動システム内のメモリ上に５０Ｈｚの５つのフレームに対応する５つのマッピングテーブルを備えることができる。
【００１７】
図３は、本発明に係る輝度重み付け値を含むマッピングテーブルの一例を示す例示図である。
図３に示されたように、本発明のＰＤＰを駆動するための駆動システム内のメモリ上には、５つのマッピングテーブルが備えられる。このとき、各マッピングテーブルには、５０Ｈｚ駆動のためのフレームが設定される。従って、各マッピングテーブルには、５０Ｈｚフレームが１つずつ備えられるようになる。即ち、第１のマッピングテーブルには、５０Ｈｚ駆動される第１のフレームが設定され、第２のマッピングテーブルには、５０Ｈｚ駆動される第２のフレームが設定され、第３のマッピングテーブルには、５０Ｈｚ駆動される第３のフレームが設定され、第４のマッピングテーブルには、５０Ｈｚ駆動される第４のフレームが設定され、第５のマッピングテーブルには、５０Ｈｚ駆動される第５のフレームが設定されることができる。従って、５０Ｈｚ駆動される５つのフレームを入力され、このような５つのフレームを各マッピングテーブルに設定されたフレームを参照して所定の階調を表現するようになる。
【００１８】
本発明は、５０Ｈｚの５つのフレームから６０Ｈｚの６つのフレームを構成する。このため、本発明では、各マッピングテーブルに設定されたそれぞれの５０Ｈｚフレームに設けられた輝度重み付け値を用いて入力される５つの５０Ｈｚフレームを６０Ｈｚの６つのフレームに再配列させる。
ここで、５０Ｈｚフレームの周期は２０ｍｓであるに対し、６０Ｈｚフレームの周期は１６．６７ｍｓである。従って、本発明によって５０Ｈｚの５つのフレームが６０Ｈｚの６つのフレームに再配列されると、フレーム周期がそれだけ短くなり、フリッカーおよび擬似輪郭がほとんど発生しない。
【００１９】
各マッピングテーブルに設定されたフレームのそれぞれには、１２つの輝度重み付け値が設けられている。従って、５つのフレームには、全部で６０の輝度重み付け値が設けられる。このとき、第１のフレームと第５のフレームのそれぞれには、６０Ｈｚの１フレームを構成することができる輝度重み付け値（１−２−４−４−８−１６−３０−４０−４５）と６０Ｈｚの他のフレームの一部を構成することができる輝度重み付け値（１−２または４０−４５）とが設定される。また、第２乃至第４のフレームには、６０Ｈｚの１つのフレームの一部および６０Ｈｚの他のフレームの一部を構成することができる輝度重み付け値が設定されている。例えば、第２のフレームには、輝度重み付け値（４−４−８−１６−３０−３５−４０−４５−１−２−４−４）が設けられ、第３のフレームには、輝度重み付け値（８−１６−３０−３５−４０−４５−１−２−４−４−８−１６）が設けられ、第４のフレームには、輝度重み付け値（３０−３５−４０−４５−１−２−４−４−８−１６−３０−３５）が設けられる。
【００２０】
具体的に、５０Ｈｚの第１のフレームには、６０Ｈｚの第１のフレームを構成する１０つの輝度重み付け値（１−２−４−４−８−１６−３０−３５−４０−４５）と、６０Ｈｚの第２のフレームを構成する２つの輝度重み付け値（１−２）が設けられる。５０Ｈｚの第２のフレームには、６０Ｈｚの第２のフレームを構成する８つの輝度重み付け値（４−４−８−１６−３０−３５−４０−４５）と、６０Ｈｚの第３のフレームを構成する４つの輝度重み付け値（１−２−４−４）が設けられる。５０Ｈｚの第３のフレームには、６０Ｈｚの第３のフレームを構成する６つの輝度重み付け値（８−１６−３０−３５−４０−４５）と、６０Ｈｚの第４のフレームを構成する６つの輝度重み付け値（１−２−４−４−８−１６）が設けられる。５０Ｈｚの第４のフレームには、６０Ｈｚの第４のフレームを構成する４つの輝度重み付け値（３０−３５−４０−４５）と、６０Ｈｚの第５のフレームを構成する８つの輝度重み付け値（１−２−４−４−８−１６−３０−３５）とが設けられる。最後に、５０Ｈｚの第５のフレームには、６０Ｈｚの第５のフレームを構成する２つの輝度重み付け値（４０−４５）と、６０Ｈｚの第６のフレームを構成する１０つの輝度重み付け値（１−２−４−４−８−１６−３０−３５−４０−４５）が設けられる。従って、５０Ｈｚの第１および第５のフレームには、６０Ｈｚの第１および第６のフレームを構成する輝度重み付け値が全て設けられる。６０Ｈｚの残りのフレーム、第２乃至第５のフレームは、５０Ｈｚの第２乃至第４のフレームに設けられた輝度重み付け値を用いて構成することができる。
【００２１】
簡略に述べると、５０Ｈｚの第１および第５のフレームからそれぞれ６０Ｈｚの第１および第６のフレーム（１−２−４−４−８−１６−３０−３５−４０−４５）が構成される。また、５０Ｈｚの第１のフレームの一部（１−２）および第２のフレームの一部（４−４−８−１６−３０−３５−４０−４５）を連結して６０Ｈｚの第２のフレームが構成され、５０Ｈｚの第２のフレームの一部（１−２−４−４）および第３のフレームの一部（８−１６−３０−３５−４０−４５）を連結して６０Ｈｚの第３のフレームが構成され、５０Ｈｚの第３のフレームの一部（１−２−４−４−８−１６）および第４のフレームの一部（３０−３５−４０−４５）を連結して６０Ｈｚの第４のフレームが構成され、５０Ｈｚの第４のフレームの一部（１−２−４−４−８−１６−３０−３５）および第５のフレームの一部（４０−４５）を連結して６０Ｈｚの第５のフレームが構成される。
【００２２】
従って、１２つの輝度重み付け値で構成された５０Ｈｚの５つのフレームから１０つの輝度重み付け値で構成された６０Ｈｚの６つのフレームを構成することが可能となる。
前述のような駆動方式による駆動方法を簡略に説明すると、次の通りである。
即ち、まず、５０Ｈｚの５つのフレームを順次入力される。このとき、マッピングテーブルには、１０つの輝度重み付け値が設けられた６０Ｈｚの６つのフレームを構成することができる５０Ｈｚの５つのフレームが設定されている。
【００２３】
これによって、前記マッピングテーブルに設定された５０Ｈｚの５つのフレームを用いて６０Ｈｚの６つのフレームを構成する。このとき、５０Ｈｚフレームは、１２つの輝度重み付け値からなり、これに対し、６０Ｈｚフレームは、１０つの輝度重み付け値からなる。例えば、５０Ｈｚの第１および第５のフレームを用いて６０Ｈｚの第１および第６のフレームを構成し、５０Ｈｚの第２乃至第４のフレームを用いて６０Ｈｚの第２乃至第４のフレームを構成することができる。このように構成された６０Ｈｚの６つのフレームに従って所定の階調を表現する。
【００２４】
図４（ａ）および図４（ｂ）は、本発明に係るプラズマディスプレイパネルの駆動方法において、フレームが再配列される様子を説明するための図である。ここで、図４（ａ）は、５０Ｈｚの５つのフレームを配列する様子を示し、図４（ｂ）は、５０Ｈｚの５つのフレームから６０Ｈｚの６つのフレームに再配列させる様子を示す。
図４（ａ）に示されたように、５０Ｈｚ駆動される場合は、垂直同期信号（Ｖｓｙｎｃ）毎に１フレームずつ入力され、マッピングテーブルに設定されたフレームの輝度重み付け値を適用して階調を画面上に表示するようになる。このとき、前記マッピングテーブルに設定された各フレームには、図３でのように、１２つの輝度重み付け値が設けられている。前記マッピングテーブルは、１２つの輝度重み付け値が設けられた第１乃至第５のフレームから１０つの輝度重み付け値で構成された６０Ｈｚの第１乃至第６のフレームに再配列して希望の階調を表現するようになる。
【００２５】
しかし、従来は、１２つの輝度重み付け値で構成された５０Ｈｚフレームがマッピングテーブルに設定されている。従って、５０Ｈｚフレームが入力されると、前記マッピングテーブルに設定されたフレームに設けられた輝度重み付け値を用いて階調を表現するようになる。このように５０Ｈｚ駆動する場合は、前述のように、フリッカーおよび二重擬似輪郭が発生するという問題点があった。
【００２６】
これに対し、本発明では、５０Ｈｚの５つのフレームが入力される時、６０Ｈｚの６つのフレームを構成するために予め設定された５０Ｈｚの５つのフレームを用いて６０Ｈｚの６つのフレームに再配列して希望の階調を表現する。図４（ｂ）に示されたように、垂直同期信号（Ｖｓｙｎｃ）により入力される５０Ｈｚの第１のフレームを第１のマッピングテーブルに設定された１２つの輝度重み付け値からなる５０Ｈｚの第１のフレームを用いて６０Ｈｚの第１のフレームを構成する。
【００２７】
次いで、５０Ｈｚの第２のフレームが入力されると、第１および第２のマッピングテーブルにそれぞれ設定された１２つの輝度重み付け値からなる５０Ｈｚの第１および第２のフレームを用いて６０Ｈｚの第２のフレームを構成する。
同様に、５０Ｈｚの第３のフレームが入力されると、第２および第３のマッピングテーブルにそれぞれ設定された１２つの輝度重み付け値からなる５０Ｈｚの第２および第３のフレームを用いて６０Ｈｚの第３のフレームを構成する。
【００２８】
このような過程を経て、５０Ｈｚの第４および第５のフレームが入力されると、５０Ｈｚの第３および第４のフレームを用いて６０Ｈｚの第４のフレームが構成され、５０Ｈｚの第４および第５のフレームを用いて６０Ｈｚの第５および第６のフレームが構成される。このとき、６０Ｈｚの６つのフレームのそれぞれは、同様な輝度重み付け値で配列されることが好ましい。例えば、図３に示されたように、６０Ｈｚの６つのフレームそれぞれの輝度重み付け値は、１−２−４−４−８−１６−３０−３５−４０−４５の順に配列されることができる。
【００２９】
結局、本発明に係るＰＤＰ駆動方式は、５０Ｈｚの５つのフレームから予め６０Ｈｚのフレームを有するように設定された輝度重み付け値を用いて６０Ｈｚの６つのフレームを再配列させることができる。このとき、再配列された６０Ｈｚの６つのフレームは、実際に６０Ｈｚ駆動されるのではなく、単に６０Ｈｚと同様な効果を奏するように具現されるものである。従って、既存の５０Ｈｚ駆動時に発生するフリッカーや擬似輪郭を防止すると共に、米国や韓国などで使用される６０Ｈｚ駆動方式と同様な効果が得られる。従って、図４（ｂ）に示されたように、５０Ｈｚの５つのフレームのそれぞれに設けられた輝度重み付け値を用いて６０Ｈｚの６つのフレームを構成することができる。
【００３０】
以上、マッピングテーブルに備えられた５０Ｈｚフレームのそれぞれに１２つの輝度重み付け値が設けられることを例にして説明しているが、５０Ｈｚの５つのフレームから６０Ｈｚの６つのフレームに再配列するため、必ずそれぞれの５０Ｈｚのフレームに１２つの輝度重み付け値を設ける必要はない。例えば、５０Ｈｚの５つのフレームのそれぞれには、６つの輝度重み付け値が任意に設定されることもできる。このような場合、前記５０Ｈｚの５つのフレームを用いて５つの輝度重み付け値からなる６０Ｈｚの６つのフレームを構成することができる。
【００３１】
以上のように、本発明のプラズマディスプレイパネルの駆動方法によれば、５０Ｈｚの光中心を６０Ｈｚの光中心になるように変換させることで、即ち、フレーム周期を２０ｍｓから１６．６７ｍｓに短くすることで、フリッカー現象が認知されない程度に時間を短縮して画面のちらつきのようなフリッカー現象をなくすことができる。
また、従来、５０Ｈｚのフレームを２つの１００Ｈｚフレームに分割することによる二重擬似輪郭をなくすこともできる。
【産業上の利用可能性】
【００３２】
前述のような本発明は、ヨーロッパー方式である５０Ｈｚ駆動方式をそのまま採用しながら５つの５０Ｈｚフレームを６つの６０Ｈｚフレームに仮想的に構成することで、米国方式である６０Ｈｚ駆動方式と同様な効果を得ると共に、フリッカーと擬似輪郭を除去することができるため、製品の適用範囲が広くなる効果が得られる。
【図面の簡単な説明】
【００３３】
【図１】従来のＰＤＰ駆動方式の一例を示す例示図である。
【図２】従来のＰＤＰ駆動方式を示す他の例示図である。
【図３】本発明に係る輝度重み付け値を含むマッピングテーブルの一例を示す例示図である。
【図４】（ａ）および（ｂ）は、本発明に係るプラズマディスプレイパネルの駆動方法において、フレームが再配列される様子を説明するための図である。
【図１】
2005084685.tif 000003
【図２】
2005084685.tif 000004
【図３】
2005084685.tif 000005
【図４】
2005084685.tif 000006